(57)【要約】【課題】軒天板を適正に取り付けることができるとともにその取り付け作業を容易化することができる建物の軒天板支持構造を提供する。【解決手段】建物１０において、屋根部１２の軒部４５の下方には軒天板４６が設けられている。軒天板４６は、支持ブラケット５１を介して外壁１１に対して固定されている。支持ブラケット５１は、外壁１１の上端部に引っ掛けられる引掛部５２と、外壁１１の外面に沿って垂れ下がっている垂れ下がり部５３と、垂れ下がり部５３の下端部に設けられ軒天板４６の外壁側端部を支持する支持部５４とを有している。垂れ下がり部５３は、その板面が外壁１１の外面と当接した状態で、ビス等により外壁１１に対して固定されている。【選択図】      図１
2013147819.tif 000002
【特許請求の範囲】
【請求項１】
建物の軒天部分に設けられる軒天板を、外壁に取り付けられた支持ブラケットにより支持する建物の軒天板支持構造であって、
前記支持ブラケットは長尺状に形成されており、該支持ブラケットの一端側には、前記外壁の上端部に引っ掛けられる引掛部が設けられているとともに、他端側には、前記軒天板を支持する支持部が設けられており、
前記支持ブラケットは、前記引掛部を前記外壁の上端部に引っ掛けた状態で、該上端部から垂れ下がるようにして前記外壁の外面側に装着されていることを特徴とする建物の軒天板支持構造。
【請求項２】
前記支持ブラケットは、前記引掛部と前記支持部との間において前記外壁の上端部から垂れ下がっている垂れ下がり部と、前記垂れ下がり部から前記外壁とは反対側に且つ下方に向けて延びている延出部とを有しており、
前記延出部は、前記支持部を前記外壁から軒先側に離間した位置にて位置保持しており、
前記延出部の前記外壁側には、前記支持部を前記外壁に近付ける方向に前記延出部が弾性変形することを可能とする弾性変形スペースが形成されていることを特徴とする請求項１に記載の建物の軒天板支持構造。
【請求項３】
前記垂れ下がり部は、前記外壁の外面に当接した状態で該外面に対して固定されていることを特徴とする請求項２に記載の建物の軒天板支持構造。
【請求項４】
前記支持部は、前記軒天板の外壁側端部が載置されている載置面を有し、該載置面に載置されることで前記軒天板を支持しており、
前記延出部は、前記載置面に載置されている前記軒天板が軒先側に向けて押圧付勢された状態となっていることを特徴とする請求項２又は３に記載の建物の軒天板支持構造。
【請求項５】
前記支持部は、軒先側に向けて開放された凹部を有しており、該凹部に前記軒天板の外壁側端部が入り込んだ状態で該軒天板を支持していることを特徴とする請求項２乃至４のいずれか１項に記載の建物の軒天板支持構造。
【請求項６】
前記外壁は、前記外面を形成する外壁面材を有しており、
前記引掛部は、前記外壁面材の上端面と対向する上側部分と、前記外壁面材の裏面と対向する裏側部分とを有しており、前記外壁面材の裏面側に引っ掛けられた状態となっていることを特徴とする請求項１乃至５のいずれか１項に記載の建物の軒天板支持構造。
【請求項７】
前記外壁は、前記外壁面材の裏面に取り付けられた下地フレームを有しており、
前記裏側部分は前記下地フレームに当接しており、
前記引掛部は、前記下地フレームに対して引っ掛けられた状態となっていることを特徴とする請求項６に記載の建物の軒天板支持構造。
【発明の詳細な説明】
【技術分野】
【０００１】
本発明は、建物の軒天板支持構造に関するものである。
【背景技術】
【０００２】
住宅等の建物において、屋根の軒部に対して軒天井が設けられていることがある。軒天井においては、軒天板が外壁と屋根の軒先とに架け渡された状態で設けられており、その軒天板により軒天部分の天井面が形成されている。軒天板の軒先側端部は例えば軒先の鼻隠し部に対して固定され、外壁側端部は例えばブラケットを介して外壁に対して固定されている。軒天板の外壁側端部がブラケットにより支持されている構成としては、ブラケットが外壁の上端部から下方に離間した位置において外壁の外面にビス等により取り付けられている構成がある（例えば特許文献１）。
【先行技術文献】
【特許文献】
【０００３】
【特許文献１】特開２００９−１９１４９３号公報
【発明の概要】
【発明が解決しようとする課題】
【０００４】
ここで、ブラケットが外壁の上端部から下方に離間した位置に取り付けられている構成においては、軒天板の位置決めを行うために外壁の外面に対して墨出し作業を行い、その墨出し位置の高さに合わせてブラケットを取り付けることになる。ところが、墨出し自体が上下方向にずれることや、墨出し位置に対してブラケットの取り付け位置が上下方向にずれることなどにより、ブラケットの取り付け精度が低下することが懸念される。さらに、意匠性の向上などを目的として外面に凹凸が形成されている外壁においては、凹凸が支障となることで、墨出し位置やブラケットの取り付け位置が上下方向にずれやすくなり、上記懸念がさらに顕著なものとなる。
【０００５】
また、軒先が延びる方向と平行に複数のブラケットが並べて配置され、それらブラケットにより軒天板が支持されている構成においては、それらブラケットの高さ位置がばらついて不均一になると、それに伴って軒天板が歪むという問題が生じてしまう。
【０００６】
本発明は、軒天板を適正に取り付けることができるとともにその取り付け作業を容易化することができる建物の軒天板支持構造を提供することを主たる目的とするものである。
【課題を解決するための手段】
【０００７】
以下、上記課題を解決するのに有効な手段等につき、必要に応じて作用、効果等を示しつつ説明する。
【０００８】
第１の発明の建物の軒天板支持構造は、建物の軒天部分に設けられる軒天板を、外壁に取り付けられた支持ブラケットにより支持する建物の軒天板支持構造であって、前記支持ブラケットは長尺状に形成されており、該支持ブラケットの一端側には、前記外壁の上端部に引っ掛けられる引掛部が設けられているとともに、他端側には、前記軒天板を支持する支持部が設けられており、前記支持ブラケットは、前記引掛部を前記外壁の上端部に引っ掛けた状態で、該上端部から垂れ下がるようにして前記外壁の外面側に装着されていることを特徴とする。
【０００９】
第１の発明によれば、外壁の上端部に支持ブラケットが引っ掛けられることで支持部の高さ位置が定められるため、支持ブラケットの取り付け作業を容易化できるとともに、軒天板の墨出し位置やブラケットの取り付け位置が上下方向にずれることを抑制できる。しかも、支持ブラケットが外壁の上端部から垂れ下がっているため、外壁の外面に凹凸が形成されていても、支持ブラケットが複数の凹凸を跨ぐ状態となることで支持部の高さ位置が上下方向や左右方向にずれることを抑制できる。したがって、複数の支持ブラケットを外壁に取り付ける場合に、それら支持ブラケットの取り付け高さが不均一になることを抑制でき、ひいては、各支持ブラケットにより支持された軒天板が歪むということを抑制できる。
【００１０】
以上により、軒天板を適正に取り付けることができるとともに、その取り付け作業を容易化することができる。
【００１１】
第２の発明は、前記支持ブラケットは、前記引掛部と前記支持部との間において前記外壁の上端部から垂れ下がっている垂れ下がり部と、前記垂れ下がり部から前記外壁とは反対側に且つ下方に向けて延びている延出部とを有しており、前記延出部は、前記支持部を前記外壁から軒先側に離間した位置にて位置保持しており、前記延出部の前記外壁側には、前記支持部を前記外壁に近付ける方向に前記延出部が弾性変形することを可能とする弾性変形スペースが形成されている。
【００１２】
第２の発明によれば、延出部が撓むように弾性変形することにより、支持部が建物から遠ざかる方向に向けて移動するのはもちろんのこと、建物に近付く方向に向けて移動することが可能となっている。このため、地震発生などにより建物が揺れた場合に、軒天板の揺れに合わせて支持部を変位させることが可能となる。したがって、軒天板が支持部に強く押圧されて変形することや破損することを抑制できる。また、例えば軒天板の軒先側端部が屋根の軒先に固定されている構成においては、軒先と外壁とに異なる揺れが生じても、その揺れの応力によって軒天板が変形したり破損したりするということを抑制できる。以上により、建物が揺れても支持部により軒天板を適正に支持することができる。
【００１３】
第３の発明は、前記垂れ下がり部は、前記外壁の外面に当接した状態で該外面に対して固定されている。
【００１４】
第３の発明によれば、垂れ下がり部が外壁の外面に固定されているため、延出部の外壁側に弾性変形スペースが形成されていても、支持ブラケットによる軒天板の支持安定化を図ることができる。これにより、建物が揺れても支持部により軒天板を適正に支持できる構成において、建物が揺れていないにもかかわらず風などにより軒天板だけが揺れてしまうということを抑制できる。
【００１５】
第４の発明は、前記支持部は、前記軒天板の外壁側端部が載置されている載置面を有し、該載置面に載置されることで前記軒天板を支持しており、前記延出部は、前記載置面に載置されている前記軒天板が軒先側に向けて押圧付勢された状態となっている。
【００１６】
支持部が外壁から離間している構成においては、載置面に軒天板の外壁側端部を載せている支持部が外壁側に変位して軒天板から離れると、軒天板の外壁側端部が載置面から外れてしまう。これに対して、第４の発明によれば、支持部が軒天板に対して押圧されているため、支持部が軒天板の外壁側端部から遠ざかる方向に移動しにくくなっている。これにより、軒天板の外壁側端部が載置面から外れるということを抑制できる。
【００１７】
第５の発明は、前記支持部は、軒先側に向けて開放された凹部を有しており、該凹部に前記軒天板の外壁側端部が入り込んだ状態で該軒天板を支持している。
【００１８】
第５の発明によれば、軒天板の外壁側端部が支持部の凹部に入り込んでいるため、軒天板の外壁側端部が支持部から上方に離間することを阻止できる。これにより、建物の揺れに伴って軒天板が上下に揺れても、軒天板の外壁側端部が支持部から外れてしまうということを抑制できる。
【００１９】
第６の発明は、前記外壁は、前記外面を形成する外壁面材を有しており、前記引掛部は、前記外壁面材の上端面と対向する上側部分と、前記外壁面材の裏面と対向する裏側部分とを有しており、前記外壁面材の裏面側に引っ掛けられた状態となっている。
【００２０】
第６の発明によれば、引掛部が外壁面材の裏面に対して引っ掛けられているため、引掛部が外壁面材の上端面及び裏面のうち上端面だけに引っ掛けられている場合に比べて、支持ブラケットが外壁から外れにくくなる。
【００２１】
第７の発明は、前記外壁は、前記外壁面材の裏面に取り付けられた下地フレームを有しており、前記裏側部分は前記下地フレームに当接しており、前記引掛部は、前記下地フレームに対して引っ掛けられた状態となっている。
【００２２】
第７の発明によれば、支持ブラケットを下地フレームにより支持することができる。このため、支持ブラケットの支持強度を好適に確保でき、ひいては、軒天板の支持強度を好適に確保できる。
【図面の簡単な説明】
【００２３】
【図１】建物における軒部周辺の縦断面図。
【図２】軒部周辺の分解斜視図。
【図３】軒天板の取り付け手順を説明するための図。
【図４】別の建物における軒部周辺の概略縦断面図。
【図５】別の支持ブラケットの構成を示す側面図。
【図６】別の建物における軒部周辺の概略縦断面図。
【図７】別の建物における軒部周辺の概略縦断面図。
【発明を実施するための形態】
【００２４】
以下、本発明を具体化した一実施形態を図面に基づいて説明する。本実施形態では、建物の軒天板支持構造を、複数の建物ユニットが組み合わされることで構築されたユニット式建物において具体化している。図１は建物１０における軒部４５周辺の縦断面図、図２は軒部４５周辺の分解斜視図である。なお、図２においては、天井大梁１５や下地フレーム２２、鼻隠し部４１などの図示を省略している。
【００２５】
図１に示すように、住宅等の建物１０は、外壁１１と、外壁１１の上方に設けられた屋根部１２とを有している。外壁１１は、建物ユニットの躯体に取り付けられている。建物ユニットは、四隅に立設された柱と、柱の上端部同士を連結する天井大梁と、柱の下端部同士を連結する床大梁とを有し、それら柱、天井大梁及び床大梁により形成された躯体は略直方体状をなしている。ここでは、天井大梁１５を図示しており、天井大梁１５には外壁１１の上端部が取り付けられている。
【００２６】
外壁１１は、外壁面を形成する外壁面材２１と、外壁面材２１の裏面（屋内側面）に取り付けられた下地フレーム２２とを有している。下地フレーム２２は天井大梁１５に固定されており、天井大梁１５は下地フレーム２２を介して外壁面材２１を支持している。外壁面材２１は、例えば窯業系サイディングボードよりなり、外壁面を形成する外面（屋外側面）には、意匠性の向上などを目的として凹凸が形成されている。
【００２７】
下地フレーム２２は、外壁面材２１の裏面に沿って上下方向に延びる縦フレーム材２５と、左右方向に延びる横フレーム材２６とを有しており、それらフレーム材２５，２６は、断面コ字状の軽量鉄骨材により形成されている。横フレーム材２６のうち外壁１１の上端部に配置された横フレーム材２６ａは、溝部の開放側を上方に向けた状態で外壁面材２１の上端部に沿って延びている。横フレーム材２６ａにおいては、ウェブを挟んで対向する一対のフランジのうち一方のフランジが外壁面材２１の裏面に重ねられており、そのフランジの上端面は外壁面材２１の上端面と同じ高さ位置にある。
【００２８】
屋根部１２は、寄棟屋根や切妻屋根などの傾斜屋根を構成するものであり、棟から軒先に向けて斜め下方に傾斜している。屋根部１２は、棟から軒先に向けて延びる垂木３１と、垂木３１の上に設けられた屋根下地材としての野地板３２と、野地板３２の上に設けられた屋根仕上材としての瓦３３とを有している。垂木３１は、その垂木３１を下方から支持する支持金物３４を挟んで床大梁２３の上に載置されており、棟及び軒先が延びる方向に所定間隔で複数並べて配置されている。
【００２９】
なお、野地板３２、瓦３３及び支持金物３４は、それぞれ屋根パネル、屋根葺材及び束材と称してもよい。また、屋根部１２には、垂木３１と直交する方向に延びる母屋材３６が設けられている。
【００３０】
屋根部１２において垂木３１の軒先側端部には、垂木３１の軒先側端面等を隠す鼻隠し部４１が取り付けられている。鼻隠し部４１は、軒先に沿って延びる長尺状の鼻先木４２と、鼻隠し部４１の露出面を形成する鼻先化粧板４３とを有している。鼻先木４２は、木材等の材料により形成された長尺材であり、複数の垂木３１に架け渡された状態で設けられている。鼻先化粧板４３は金属材料や合成樹脂材料により形成されており、鼻先木４２における垂木３１とは反対側（外側）から鼻先木４２の下方に回り込んだ形状とされている。鼻先化粧板４３は、鼻先木４２の外側面に対向する部分と、鼻先木４２の下面に対向する部分とを有しており、鼻先木４２の外側面に対向する部分が鼻先木４２に対して固定されている。
【００３１】
鼻隠し部４１を挟んで垂木３１とは反対側には雨樋４４が設けられている。雨樋４４は鼻隠し部４１に沿って延びており、鼻隠し部４１の外側面に取り付けられている。
【００３２】
屋根部１２における外壁１１よりも側方に突出した部分は軒部４５とされており、軒部４５の下方には、軒天井を形成する軒天板４６が設けられている。軒天板４６は合成樹脂材料により形成され、耐水性を有している。軒天板４６の下面は水平方向に延びており、軒天部分の天井面を形成している。軒天板４６は、外壁１１の上部と屋根部１２の軒先（鼻隠し部４１）とに架け渡された状態で、軒先及び外壁１１に沿って延びている。軒天板４６においては、軒先側端部が鼻隠し部４１により屋根部１２の軒先に対して固定されているとともに、外壁側端部が外壁１１の上端部よりも下方において支持ブラケット５１を介して外壁１１に対して固定されている。軒天板４６においては、軒先側端部と外壁側端部との高さ位置が同じとされている。
【００３３】
鼻隠し部４１に対する軒天板４６の固定構成について説明すると、鼻隠し部４１の鼻先化粧板４３においては、鼻先木４２の下面に対向する部分が鼻先木４２から下方に離間しており、その隙間に軒天板４６の軒先側端部が入り込んでいる。軒天板４６の軒先側端部は鼻先木４２の下面に対してビス等により固定されており、軒天板４６の端面が鼻先木４２の外側面とともに鼻先化粧板４３により覆い隠されている。
【００３４】
外壁１１に対する軒天板４６の固定構成について説明すると、支持ブラケット５１は、外壁１１の上端部に引っ掛けられることで外壁１１の外面の上端部から垂れ下がった状態となっており、その垂れ下がった状態で軒天板４６を支持している。支持ブラケット５１は長尺状に形成されており、外壁１１の上部の外面とオーバーラップした状態となっている。支持ブラケット５１は、外壁１１の上端部に引っ掛けられた引掛部５２と、その引掛部５２から外壁面に沿って下方に垂れ下がっている垂れ下がり部５３と、垂れ下がり部５３の下端部に設けられ且つ軒天板４６を支持する支持部５４とを有している。支持ブラケット５１は、可撓性を有する金属製の薄板が厚み方向に折り曲げられることで形成されており、弾性変形が可能となっている。
【００３５】
垂れ下がり部５３は、その表裏両板面のうち一方が外壁面材２１の外面と当接した状態で、ビス等により外壁面材２１を介して下地フレーム２２に対して固定されている。引掛部５２は、垂れ下がり部５３の上端から外壁１１側に向けて突出しており、外壁面材２１に対して上方から裏面側に回り込んだ状態となっている。引掛部５２は、外壁面材２１の上端面と対向する上側部分５２ａと、外壁面材２１の裏面と対向する裏側部分５２ｂとを有しており、それら部分５２ａ，５２ｂにより外壁面材２１の上端面及び裏面に対して引っ掛けられた状態となっている。
【００３６】
外壁面材２１の屋内側においては、引掛部５２の裏側部分５２ｂが横フレーム材２６ａの溝部内に上方から入り込んだ状態となっており、裏側部分５２ｂは、横フレーム材２６ａにおける外壁面材２１側のフランジに当接している。この場合、引掛部５２は、外壁面材２１に加えて横フレーム材２６ａに対して引っ掛けられた状態となっており、支持ブラケット５１は横フレーム材２６ａを介して天井大梁１５により支持されていることになる。
【００３７】
支持部５４は、外壁１１から軒先側に離間した位置において、垂れ下がり部５３よりも下方に配置されている。具体的には、支持ブラケット５１においては、垂れ下がり部５３の下端部から軒先側（外壁１１から遠ざかる方向）に向けて延出部５５が延出しており、延出部５５の延出側端部（垂れ下がり部５３とは反対側の端部）に支持部５４が接続されている。延出部５５は、垂れ下がり部５３の下端部から水平方向に延びる水平部分５５ａと、水平部分５５ａの軒先側端部から下方に向けて延びる鉛直部分５５ｂとを有しており、鉛直部分５５ｂの下端部に支持部５４が接続されている。この場合、延出部５５は、垂れ下がり部５３と支持部５４とを接続しているとともに、支持部５４を外壁１１から軒先側に離間した位置にて位置保持している。
【００３８】
なお、延出部５５は中間位置にて折り曲げられることで形成されており、屈曲部を挟んで垂れ下がり部５３側が水平部分５５ａとされ、支持部５４側が鉛直部分５５ｂとされている。
【００３９】
支持部５４は、上下方向における中間部分が外壁１１側に向けて凹んだコ字状部とされており、その凹部は軒先側に向けて開放されている。軒天板４６の外壁側端部は、支持部５４の凹部に軒先側から入り込んでおり、その状態で支持部５４により支持されている。支持部５４は、開放側と反対側（外壁１１側）に配置された側面部５４ａと、側面部５４ａの上端部から軒先側に向けて延びている上面部５４ｂと、側面部５４ａの下端部から軒先側に向けて延びている下面部５４ｃとを有しており、上面部５４ｂと下面部５４ｃとは側面部５４ａを挟んで対向している。支持部５４の凹部内において、軒天板４６の外壁側端部は下面部５４ｃに載置されており、下面部５４ｃの上面が載置面に相当する。
【００４０】
支持部５４の上面部５４ｂの開放側端部には、延出部５５の鉛直部分５５ｂの下端部が接続されている。この場合、延出部５５の水平部分５５ａよりも支持部５４の上面部５４ｂの方が、鉛直部分５５ｂから外壁１１側に向けて延びる長さ寸法が小さくされており、それによって、上面部５４ｂ（支持部５４）と外壁１１との間に隙間が確保されている。
【００４１】
延出部５５及び支持部５４の外壁１１側には、延出部５５が外壁１１側に向けて弾性変形することを可能とする弾性変形スペースＳが形成されている。弾性変形スペースＳは、延出部５５の水平部分５５ａの下方であって鉛直部分５５ｂ及び支持部５４と外壁１１との間の空間であり、外壁面に沿って延びている。この場合、延出部５５は、支持部５４を外壁１１から遠ざける方向に撓むことはもちろんのこと、支持部５４を外壁１１に近付ける方向に撓むことが可能となっている。
【００４２】
支持ブラケット５１の支持部５４及び軒天板４６の外壁側端部には、見切り部材６５が取り付けられている。見切り部材６５は、支持部５４の外周側及び軒天板４６の外壁側端部を覆う覆い部６５ａと、支持部５４の凹部内に入り込んでいる入り込み部６５ｂとを有している。見切り部材６５は、合成樹脂材料により長尺状に形成されており、軒天板４６の外壁側端部に沿って延びるように設けられている（図２参照）。覆い部６５ａは、支持部５４及び軒天板４６の外壁側端面が軒天井の下方に露出しないようにする化粧部となっている。見切り部材６５は、支持部５４と同様に外壁１１からは離間している。
【００４３】
支持部５４の凹部内において、入り込み部６５ｂは、軒天板４６と支持部５４の下面部５４ｃとの間に入り込んでいる。この場合、軒天板４６は見切り部材６５の入り込み部６５ｂを挟んで支持部５４の下面部５４ｃに載置されており、入り込み部６５ｂは、軒天板４６における下面部５４ｃに載置された部分が凹んだり破損したりしないように保護する保護部となっている。
【００４４】
支持部５４の凹部内の有効高さ寸法、つまり、見切り部材６５の入り込み部６５ｂと上面部５４ｂとの離間距離は、軒天板４６の厚み寸法とほぼ同じとされており、軒天板４６は支持部５４に対して嵌合されている。この場合、軒天板４６は、下面部５４ｃに載置されていることで下方から支持されているのはもちろんのこと、上面部５４ｂに当接することで上方にも移動しないようになっている。つまり、軒天板４６が支持部５４に対して相対的に上下方向に移動しないようになっている。
【００４５】
なお、支持部５４の凹部内の有効高さ寸法は、軒天板４６の厚み寸法よりも小さくされていてもよい。この場合でも、上面部５４ｂや下面部５４ｃを離間させる方向に支持部５４を弾性変形させることで、支持部５４に対して軒天板４６を嵌合させることが可能となる。この場合、支持部５４の凹部により軒天板４６を確実に支持することができる。また、支持部５４の凹部内の有効高さ寸法は、軒天板４６の厚み寸法よりも大きくされていてもよい。
【００４６】
軒天板４６の外壁側端部の端面は、支持部５４の凹部内において側面部５４ａに当接している。この場合、軒天板４６が支持部５４に対して外壁１１側に相対的に移動しないようになっている。しかも、軒天板４６が支持部５４の凹部に入り込んだ状態では、延出部５５が弾性変形しており、その弾性力により側面部５４ａは軒天板４６に向けて押圧（付勢）されている。この場合、支持部５４は、下面部５４ｃと軒天板４６との重なり寸法が大きくなる方向に押圧されているため、軒天板４６の外壁側端部が下面部５４ｃから外れるということがないようになっている。
【００４７】
図２に示すように、支持ブラケット５１は、外壁面材２１の上端部（屋根部１２の軒先）に沿って所定間隔で複数並べて配置されている。この場合、いずれの支持ブラケット５１においても支持部５４の下面部５４ｃの高さ位置が同じとされており、各下面部５４ｃに載置された軒天板４６は撓むことなく水平に保たれることになる。
【００４８】
支持ブラケット５１の並び方向に沿って、軒天板４６及び見切り部材６５も複数並べて配置されている。隣り合う軒天板４６において、互いに対向する各端面の一方には凸部が設けられ、他方には凹部が設けられており、それら凸部と凹部とが嵌合することにより軒天板４６同士が連結されている。見切り部材６５は軒天板４６の端部に沿って延びる長尺部材であり、隣り合う見切り部材６５は連結部材６６により連結されている。連結部材６６は、見切り部材６５の覆い部６５ａの内側に挿し入れられており、隣り合う見切り部材６５に架け渡された状態となることでそれら見切り部材６５を連結している。
【００４９】
次に、軒部４５の下方に軒天板４６を取り付ける手順について図３を参照しつつ説明する。図３は軒天板４６の取り付け手順を説明するための図である。なお、図３においては、瓦３３や雨樋４４などの図示を省略している。
【００５０】
建物１０においては、軒天板４６の取り付け作業を行うよりも前に、外壁１１及び屋根部１２を構築しておく。ただし、屋根部１２の鼻隠し部４１については、鼻先木４２及び鼻先化粧板４３のうち鼻先木４２だけを取り付けておく。
【００５１】
以上の状態で、まず、図３（ａ）に示すように、支持ブラケット５１の引掛部５２を外壁１１の上端部に引っ掛け、垂れ下がり部５３をビス等により外壁面材２１及び下地フレーム２２に固定する。この場合、支持ブラケット５１は、単に引っ掛けただけで作業者が手で持っていなくても取り付け位置に位置保持されているため、作業者は支持ブラケット５１をビス等により固定する作業を容易に行うことができる。なお、同様の作業により複数の支持ブラケット５１を外壁１１に取り付ける。
【００５２】
その後、図３（ｂ）に示すように、支持ブラケット５１の支持部５４に対して見切り部材６５を取り付ける。ここでは、複数の見切り部材６５をそれぞれ支持ブラケット５１に取り付けるとともに、それら見切り部材６５を連結部材６６により連結する。
【００５３】
そして、図３（ｃ）に示すように、軒天板４６を支持ブラケット５１の支持部５４及び鼻隠し部４１に対して取り付ける。ここでは、軒天板４６の外壁側端部を支持部５４の凹部に差し入れるとともに、軒天板４６の軒先側端部をビス等により鼻先木４２の下面に取り付ける。その後、鼻先木４２及び軒天板４６に対して鼻先化粧板４３を取り付ける。この場合、作業者は、片手で軒天板４６の外壁側端部を支えながらもう片方の手で軒天板４６の軒先側端部を鼻先木４２に対して固定するという必要がないため、軒天板４６の取り付け作業を一人でも容易に行うことができる。これにより、建築現場における作業工数を低減することが可能となる。
【００５４】
以上詳述した本実施形態によれば、以下の優れた効果が得られる。
【００５５】
支持ブラケット５１においては、引掛部５２が外壁１１の上端部に引っ掛けられることで支持部５４の高さ位置が定められるため、支持ブラケット５１の取り付け作業を容易化できるとともに、軒天板４６の墨出し位置や支持ブラケット５１の取り付け位置が上下にずれることを抑制できる。しかも、支持ブラケット５１が外壁１１の上端部から垂れ下がっているため、外壁１１の外面に凹凸が形成されていても、支持ブラケット５１が複数の凹凸を跨ぐ状態となることで支持部５４の高さ位置が上下方向や左右方向にずれることを抑制できる。したがって、複数の支持ブラケット５１の取り付け高さが不均一になることを抑制でき、ひいては、それら支持ブラケット５１により支持された軒天板４６が歪むということを抑制できる。以上により、軒天板４６を適正に取り付けることができるとともに、その取り付け作業を容易化することができる。
【００５６】
支持ブラケット５１において、支持部５４及び延出部５５の外壁１１側に弾性変形スペースＳが確保されているため、延出部５５の弾性変形に伴って軒天板４６ごと支持部５４が外壁１１に近付く向き及び外壁１１から遠ざかる向きの両方に移動することが可能となっている。このため、建物１０が揺れた場合に、軒天板４６の揺れに合わせて支持部５４を変位させることが可能となり、支持部５４から軒天板４６の外壁側端部が外れることや、軒天板４６が支持部５４に強く押圧されて変形したり破損したりすることなどを抑制できる。また、屋根部１２の軒先が外壁１１に対して相対的に揺れたとしても、その揺れの応力によって軒天板４６が変形したり破損したりすることを抑制できる。したがって、建物１０が揺れても支持部５４により軒天板４６を適正に支持することができる。
【００５７】
支持部５４を介して軒天板４６の外壁側端部が外壁１１から離間しているため、支持部５４が外壁１１に固定されている構成とは異なり、建物１０の揺れに伴って軒天板４６の外壁側端部と外壁１１との間で離間及び接触が繰り返されことがない。したがって、離間及び接触が繰り返されることにより軒天板４６や外壁１１が変形したり破損したりすることを回避できる。
【００５８】
支持ブラケット５１において、垂れ下がり部５３は外壁１１に固定されているため、延出部５５の外壁１１側に弾性変形スペースＳが形成されていても、支持ブラケット５１による軒天板４６の支持安定化を図ることができる。これにより、建物１０が揺れても支持部５４により軒天板４６を適正に支持できる構成において、建物１０が揺れていないにもかかわらず風などにより軒天板４６だけが揺れてしまうということを抑制できる。
【００５９】
支持部５４の下面部５４ｃの上面が軒天板４６の載置面とされている構成において、延出部５５の弾性変形により下面部５４ｃは軒天板４６に向けて押圧されているため、支持部５４が軒天板４６の外壁側端部から遠ざかる方向には移動しにくくなっている。これにより、軒天板４６の外壁側端部が下面部５４ｃから外れるということを抑制できる。
【００６０】
軒天板４６の外壁側端部が支持部５４の凹部内に軒先側から入り込んでいるため、軒天板４６の外壁側端部が支持部５４から上方に離間することを阻止できる。これにより、建物１０の揺れに伴って軒天板４６が上下に揺れても、軒天板４６の外壁側端部が支持部５４の凹部から外れてしまうということを抑制できる。
【００６１】
支持ブラケット５１の支持部５４の下面部５４ｃと軒天板４６とが平行になっているため、軒天板４６に対して下面部５４ｃが傾斜している場合に比べて、軒天板４６における下面部５４ｃに載置されている部分について変形や破損が生じにくくなっている。
【００６２】
支持ブラケット５１の支持部５４と外壁１１とが離間しているため、軒天板４６の外壁側端部と外壁１１とも離間している。この場合、軒天板４６と外壁１１との隙間を通じて、軒天井の天井裏空間や屋根裏空間の通気を行うことができる。
【００６３】
支持ブラケット５１においては、引掛部５２の裏側部分５２ｂが外壁面材２１の裏面に対して引っ掛けられているため、引掛部５２が外壁面材２１の上端面にだけ引っ掛けられている場合に比べて、支持ブラケット５１が外壁１１の上端部から外れるということが生じにくくなっている。しかも、引掛部５２の裏側部分５２ｂは、外壁面材２１を支持する下地フレーム２２の横フレーム材２６ａに引っ掛けられているため、支持ブラケット５１の支持強度を好適に確保でき、ひいては、軒天板４６の支持強度を好適に確保できる。
【００６４】
支持ブラケット５１は、薄板を折り曲げて形成されているため、垂れ下がり部５３に対する延出部５５の折り曲げ位置や、延出部５５に対する支持部５４の折り曲げ位置を変更することにより、外壁１１の上端部に対する支持部５４の高さ寸法を容易に調整できる。
【００６５】
［他の実施形態］
本発明は上記実施形態の記載内容に限定されず、例えば次のように実施されてもよい。
【００６６】
（１）上記実施形態では、軒天板４６において軒先側端部と外壁側端部との高さ位置が同じにされていたが、軒先側端部と外壁側端部との高さ位置は異なっていてもよい。例えば、図４に示すように、軒天板４６が、軒先側端部が外壁側端部よりも下方となるように傾斜させて設けられている構成とする。この構成では、支持ブラケット５１において、延出部５５の水平部分５５ａが垂れ下がり部５３から斜め下方に向けて延びていることにより、支持部５４の凹部の開放方向が斜め下方とされている。これにより、軒天板４６が傾斜していても、その軒天板４６の外壁側端部を支持部５４の凹部内に挿し入れることが可能となっている。
【００６７】
なお、支持部５４の凹部の開放側を斜め下方に向ける構成としては、上記のように垂れ下がり部５３に対する水平部分５５ａの角度を大きくする構成に加えて、延出部５５において水平部分５５ａに対する鉛直部分５５ｂの角度を小さくする構成、鉛直部分５５ｂに対する上面部５４ｂの角度を小さくする構成などが挙げられる。
【００６８】
また、軒天板４６が、軒先側端部が外壁側端部よりも上方となるように傾斜させて設けられている構成においては、支持部５４の凹部の開放側が斜め上方に向けられていることが好ましい。
【００６９】
（２）上記実施形態では、支持ブラケット５１において、延出部５５は支持部５４の上面部５４ｂの開放側端部に接続されていたが、延出部５５は上面部５４ｂのいずれの部分に接続されていればよい。例えば、図５（ａ）に示すように、延出部５５は上面部５４ｂの中間部分に接続されていてもよく、図５（ｂ）に示すように、上面部５４ｂの閉鎖側端部（外壁側端部）に接続されていてもよい。また、図５（ｃ）に示すように、支持部５４はコ字状部ではなく、延出部５５の延出側端部から突出した板状部とされていてもよい。
【００７０】
また、延出部５５は、その延出部５５及び支持部５４の外壁１１側に弾性変形スペースＳを確保できる形状であればよい。例えば、図５（ｂ）に示すように、延出部５５は、斜め下方に向けて直線的に延びていてもよく、図５（ｃ）に示すように、斜め下方に向けて曲線的に延びていてもよい。ちなみに、延出部５５が曲線的に延びている場合、延出部５５は上方及び下方のいずれに向けて湾曲していてもよい。さらに、上記実施形態では、延出部５５における屈曲部は水平部分５５ａと鉛直部分５５ｂとの境界部に１つだけ設けられていたが、屈曲部が複数設けられていてもよい。
【００７１】
支持ブラケット５１においては、延出部５５が設けられていなくてもよい。つまり、垂れ下がり部５３の下端部に支持部５４が設けられていてもよい。この場合、支持部５４が外壁１１に当接する構成となるが、この構成でも支持部５４により軒天板４６の外壁側端部を支持することが可能である。
【００７２】
（３）支持ブラケット５１の引掛部５２は、下地フレーム２２の横フレーム材２６ａに引っ掛けられていなくてもよい。つまり、外壁面材２１及び横フレーム材２６ａのうち外壁面材２１だけに引っ掛けられていてもよい。要は、引掛部５２は、外壁１１の上端部に引っ掛けられていればよい。
【００７３】
また、支持ブラケット５１の引掛部５２には、裏側部分５２ｂが設けられていなくてもよい。この場合でも、引掛部５２は、上側部分５２ａにより外壁１１の上端面に引っ掛けることが可能となっている。
【００７４】
（４）支持ブラケット５１は、延出部５５において水平部分５５ａ及び鉛直部分５５ｂの少なくとも一方だけが弾性変形可能な構成とされていてもよい。この構成でも、建物１０の揺れが発生した場合に、軒天板４６の揺れに合わせて支持部５４が変位する構成を実現できる。
【００７５】
（５）支持ブラケット５１の支持部５４の凹部において、軒天板４６は、見切り部材６５の入り込み部６５ｂを挟まずに下面部５４ｃの上に直接載置されていてもよい。この場合、入り込み部６５ｂを有していない見切り部材６５が支持部５４及び軒天板４６に取り付けられていてもよく、見切り部材６５自体が取り付けられていなくてもよい。
【００７６】
（６）支持ブラケット５１の支持部５４は、軒天板４６の外壁側端部を下方から支持するのではなく、上方から吊り下げ支持してもよい。例えば、支持部５４の下面部５４ｃの下側に軒天板４６が配置され、軒天板４６側からビスが下面部５４ｃに対して螺着されることで支持部５４に対して軒天板４６が固定されている構成とする。
【００７７】
（７）支持ブラケット５１により外壁１１に対して支持された軒天板４６は、鼻隠し部４１ではなく、破風板と外壁１１との間に架け渡されていてもよい。この場合、屋根部１２は切妻屋根を構成しており、軒天板４６はけらばの下方に設けられていることになる。
【００７８】
（８）例えば、図６に示すように、外壁面材２１の上端面に合わせてアングル治具７１が取り付けられている構成において、支持ブラケット５１を、垂れ下がり部５３の上端面がアングル治具７１の下端面に当接する位置に取り付けてもよい。この場合でも、墨出し作業を行わずに、支持ブラケット５１の高さ位置を容易に定めることが可能となる。しかも、支持ブラケット５１を取り付けた後、軒天板４６の一端を支持ブラケット５１の支持部５４の凹部に挿し入れた状態で、軒天板４６の他端を鼻隠しに固定することにより、軒天板４６の取り付け作業を一人で行うことができる。なお、この構成においては、支持ブラケット５１に引掛部５２は設けられていない。
【００７９】
外壁面材２１の上端部には、外面が凹凸を有していない平坦部７２が形成されており、アングル治具７１は平坦部７２の外面に対して取り付けられている。このため、アングル治具７１が外壁１１の上端に引っ掛けられていなくても、アングル治具７１の取り付け高さが外壁面材２１の凹凸によりずれるということを抑制できる。ちなみに、外壁面材２１において平坦部７２は外面が屋内側に向けて凹んでおり、厚み寸法が他の部分に比べて小さくされている。
【００８０】
図７に示すように、軒天板４６を回動可能に軸支する軸支部７３が外壁面材２１の外面に取り付けられている場合、軒天板４６の軒先側端部を鼻隠し部４１に固定しなくても、軒天板４６の軒先側端部と外壁側端部とを同じ高さ位置とすることが可能となる。また、軒天板４６を回動させることにより、軒天板４６の傾斜角度を変更することも可能となっている。この場合、軒天板４６の傾斜角度をフレキシブルに変更するが可能であるとともに、建物１０の様々な外観デザインに対応することも可能である。
【００８１】
しかも、工場において外壁１１に軸支部７３及び軒天板４６を取り付けておいても、軒天板４６を回動させて外壁面材２１と平行な平行位置に変位させることにより、外壁１１を建物ユニットごと建築現場に運搬する際に、軒天板４６が運搬の支障となることを抑制できる。この場合、軸支部７３の下方に窓部７５が形成されていても、その窓部７５とは逆である上方に向けて軒天板４６を回動させることにより、運搬時に軒天板４６が窓部７５と干渉することも回避できる。
【００８２】
また、軒天板４６の外壁側端部と外壁１１との間には、通気用隙間が形成されており、その通気用隙間を通じて軒天井の天井裏空間や屋根裏空間の通気を行うことが可能となっている。
【符号の説明】
【００８３】
１０…建物、１１…外壁、２１…外壁面材、２２…下地フレーム、４５…軒部、４６…軒天板、５１…支持ブラケット、５２…引掛部、５２ａ…上側部分、５２ｂ…裏側部分、５３…垂れ下がり部、５４…支持部、５５…延出部、Ｓ…弾性変形スペース。
【図１】
2013147819.tif 000003
【図２】
2013147819.tif 000004
【図３】
2013147819.tif 000005
【図４】
2013147819.tif 000006
【図５】
2013147819.tif 000007
【図６】
2013147819.tif 000008
【図７】
2013147819.tif 000009